(57)【要約】      （修正有）【課題】コンパクト化と共に、華やかさや美しさを表現できる五月人形セットを提供する。【解決手段】五月人形セット１０は、鎧兜本体１２と、弓矢２０及び太刀２２を含む道具類と、鎧兜本体１２及び道具類の背面側に設けられる屏風２４と、鎧兜本体１２、道具類及び屏風２４が載置される台座２６と、を備え、台座２６の底面から台座２６に載置された屏風２４の上端までの高さＨ０は台座２６の間口より小さくなるように構成され、かつ、台座２６の底面から台座２６に載置された鎧兜本体１２の上端までの高さＨ１は、０．９Ｈ０≦Ｈ１≦Ｈ０を満たすように構成される。【選択図】図１
0003219971.tif 000002
【実用新案登録請求の範囲】
【請求項１】
鎧兜本体と、
弓矢及び太刀を含む道具類と、
前記鎧兜本体及び前記道具類の背面側に設けられる屏風と、
前記鎧兜本体、前記道具類及び前記屏風が載置される台座と、
を備え、
前記台座の底面から前記台座に載置された前記屏風の上端までの高さＨ０は前記台座の間口より小さくなるように構成され、かつ、前記台座の底面から前記台座に載置された前記鎧兜本体の上端までの高さＨ１は、０．９Ｈ０≦Ｈ１≦Ｈ０を満たすように構成されることを特徴とする五月人形セット。
【請求項２】
前記鎧兜本体に用いられる縅糸及び前記道具類の各々に用いられる紐類は統一された色調を有するように構成されることを特徴とする請求項１に記載の五月人形セット。
【請求項３】
前記紐類の色調は、白、紫、緑又は青から選択されることを特徴とする請求項２に記載の五月人形セット。
【請求項４】
前記屏風の前面は、前記紐類の色調と同一の色調を有するように構成されることを特徴とする請求項２又は３に記載の五月人形セット。
【請求項５】
前記台座の底面から前記太刀の上端までの高さＨ２はＨ２≦０．７５Ｈ０を満たすように構成されたことを特徴とする請求項１乃至４の何れか一項に記載の五月人形セット。
【請求項６】
前記台座の底面から前記弓矢の上端までの高さＨ３は、０．９８Ｈ０≦Ｈ３を満たすように構成されたことを特徴とする請求項１乃至５の何れか一項に記載の五月人形セット。
【請求項７】
前記台座の表面は黒色を有することを特徴とする請求項１乃至６の何れか一項に記載の五月人形セット。
【請求項８】
前記台座の上面に敷かれるシート状の畳を備えることを特徴とする請求項１乃至７の何れか一項に記載の五月人形セット。
【請求項９】
前記鎧兜本体は佩いたてを含み、前記佩いたてに用いられる紐は前記鎧兜本体及び前記道具類に用いられる紐類と統一された色調を有するように構成されたことを特徴とする請求項１乃至８の何れか一項に記載の五月人形セット。
【考案の詳細な説明】
【技術分野】
【０００１】
本考案は、五月人形セットに関する。
【背景技術】
【０００２】
五月人形セットは、鎧及び兜等からなる本体と、弓及び太刀等からなる道具類と、本体及び道具類の背面側に配置される屏風と、これらの構成部品が載置される台座などで構成される。特許文献１には、五月人形セットの一例が開示されている。五月人形セットは、最近の日本における住宅事情などから、コンパクトなものが望まれる傾向にあると共に、戦いに用いられる防具という観点からイメージされる重厚なイメージよりも、装飾としての華やかさや美しさが求められる傾向にある。
【先行技術文献】
【特許文献】
【０００３】
【特許文献１】実用新案登録第３０８８２９５号公報
【考案の概要】
【考案が解決しようとする課題】
【０００４】
華やかさや美しさは、構成部品の色調に大きく左右される。従って、五月人形セットを正面から見たとき、各構成部品の色の配分を考えたり、全体としての色調を統一するような工夫が必要となってくる。しかし、現状、五月人形セットの製作は専門性を有するため、夫々別な職人が製作しているため、各構成部品の色の配分を考えたり、全体としての色調を統一することは困難である。また、このようは工夫が可能であるとしても、現状の各構成部品の大きさの比率では、鎧兜本体と弓太刀などの道具類とが離れすぎるため、正面から見たときの屏風の色彩の比率が大きくなりすぎたり、あるいは漆黒の台座の色彩の比率が大きくなり過ぎて、必ずしも良い官能データが得られなかった。
【０００５】
本考案は、五月人形セットのコンパクト化と共に、華やかさや美しさを実現できるようにすることを目的とする。
【課題を解決するための手段】
【０００６】
（１）一実施形態に係る五月人形セットは、
鎧兜本体と、
弓矢及び太刀を含む道具類と、
前記鎧兜本体及び前記道具類の背面側に設けられる屏風と、
前記鎧兜本体、前記道具類及び前記屏風が載置される台座と、
を備え、
前記台座の底面から前記台座に載置された前記屏風の上端までの高さＨ０は前記台座の間口より小さくなるように構成され、かつ、前記台座の底面から前記台座に載置された前記鎧兜本体の上端までの高さＨ１は、０．９Ｈ０≦Ｈ１≦Ｈ０を満たすように構成される。
ここで、「鎧兜本体の上端までの高さＨ１」とは、兜の上端に取り付けられる鍬形などの装飾を除いた兜の上端までの高さを言う。
【０００７】
上記（１）の構成によれば、台座の底面から台座に載置された屏風の上端までの高さＨ０は台座の間口より小さくなるように構成されるため、五月人形セットを全体としてコンパクト化でき、現状のコンパクト化のニーズに対応できる。また、台座の底面から台座に載置された鎧兜本体の上端までの高さＨ１は、０．９Ｈ０≦Ｈ１≦Ｈ０を満たし、屏風の高さＨ０に対する鎧兜本体の高さＨ１の比率は、従来より増加している。これによって、五月人形セットを正面から見たとき、屏風や台座の色彩の比率が従来に比べて減少している。これによって、各構成部品の色彩の比率がバランスするので、各構成部品の色調を統一したとき全体として美感を感じさせることができる。
【０００８】
（２）一実施形態では、前記（１）の構成において、
前記鎧兜本体に用いられる縅糸及び前記道具類の各々に用いられる紐類は統一された色調を有する。
上記（２）の構成によれば、鎧兜本体に用いられる縅糸及び前記道具類の各々に用いられる組紐などの紐類は統一された色調を有するため、正面から見たとき各構成部品の色調に統一感をもたせることができる。これによって、美感を高めることができる。
【０００９】
（３）一実施形態では、前記（２）の構成において、
前記紐類の色調は、白、紫、緑（もえぎ）又は青（あさぎ）から選択される。
上記（３）の構成によれば、上記４種の色調は夫々古くから美感を起すことができる代表的な色調として広く認められている色調である。従って、紐類をこれらの色調とすることで、美感を高めることができる。
【００１０】
（４）一実施形態では、前記（２）又は（３）の構成において、
前記屏風の前面は、前記紐類の色調と同一の色調を有するように構成される。
上記（４）の構成によれば、屏風の前面が紐類の色調と同一の色調で構成されることで、正面から見たとき全体として色調の統一感を出すことができる。
【００１１】
（５）一実施形態では、前記（１）〜（４）の何れかの構成において、
前記台座の底面から前記太刀の上端までの高さＨ２はＨ２≦０．７５Ｈ０を満たすように構成される。
上記（５）の構成によれば、台座の底面から太刀の上端までの高さＨ２がＨ２≦０．７５Ｈ０を満たすことで、太刀は、従来より太刀の高さが低くなるように製作されている。これによって、弓矢の高さと比べて太刀の高さは小さくなりアンバランスになるが、これによって、逆に太刀に用いられる組紐などの紐類を目立たせることができる。そして、太刀の紐類の色調を他の構成部品に用いられる紐類と色調を合わせることで、セット全体の色調の統一感を出すことができる。
【００１２】
（６）一実施形態では、前記（１）〜（５）の何れかの構成において、
前記台座の底面から前記弓矢の上端までの高さＨ３は、０．９８Ｈ０≦Ｈ３を満たすように構成される。
上記（６）の構成によれば、台座の底面から前記弓矢の上端までの高さＨ３は、０．９８Ｈ０≦Ｈ３を満たすように構成されるため、弓矢の視覚上の存在感を増加できる。これによって、屏風及び台座の視覚上の存在感を相対的に低下させ、各構成部品の色調を統一したときの各構成部品の色調をバランス良く発揮させることができる。
【００１３】
（７）一実施形態では、前記（１）〜（６）の何れかの構成において、
前記台座の表面は黒色を有する。
上記（７）の構成によれば、台座の表面は黒色とすることで、セットの下部に重厚感をもたせることができると共に、視覚面積が大きい台座を目立たなくすることができる。これによって、統一した色調を有する他の構成部品に対して台座の黒色がコントラストとなって、全体としてバランスした色調になると共に、他の構成部品の統一した色調を適度に強調できる。
【００１４】
（８）一実施形態では、前記（１）〜（７）の何れかの構成において、
前記台座の上面に敷かれるシート状の畳を備える。
上記（７）の構成によれば、台座の表面にシート状の畳を敷くことで、台座表面の色調を減殺してセット下部の重厚感を緩和し、セット下部に華やかさを付加できる。これによって、全体の色調をバランスさせることができる。また、シート状の畳であるので、弓矢や鎧兜本体の高さを必要以上に増加させないで済む。
【００１５】
（９）一実施形態では、前記（１）〜（８）の何れかの構成において、
前記鎧兜本体は佩いたてを含み、前記佩いたてに用いられる紐は前記鎧兜本体及び前記道具類に用いられる紐類と統一された色調を有するように構成される。
上記（８）の構成によれば、佩いたてに用いられる紐は前記鎧兜本体及び前記道具類に用いられる紐類と統一された色調を有するため、セット全体としてさらに統一感を増すことができる。
【考案の効果】
【００１６】
幾つかの実施形態によれば、五月人形セットをコンパクト化できると共に、各構成部品の色調を統一することで、華やかさや美しさを発現できる。
【図面の簡単な説明】
【００１７】
【図１】一実施形態に係るひな人形セットの全体を示す正面側から視た斜視図である。
【考案を実施するための形態】
【００１８】
以下、添付図面を参照して本考案の幾つかの実施形態について説明する。ただし、実施形態として記載され又は図面に示されている構成部品の寸法、材質、形状、その相対的配置等は、本考案の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００１９】
図１は、一実施形態に係る五月人形セット１０を正面側から視た斜視図である。五月人形セット１０は、鎧１４、兜１６及び佩いたて（具足）１８等を含む鎧兜本体１２が正面側から視て中央に配置される。そして、弓矢２０、太刀２２等の道具類が鎧兜本体１２の両側に配置される。鎧兜本体１２及び弓矢２０、太刀２２等の道具類の背面側に屏風２４が配置される。鎧兜本体１２、道具類及び屏風２４は台座２６の上面に載置される。台座２６は通常正方形、長方形等の四角形を有し、ある程度の厚さを有する。屏風２４は、通常正面壁部及び両側壁部で構成され、両側壁部は帳面壁部に対して回動可能に軸支され、正面壁部に対して上方から視てコの字状に折り曲げられて立て置き可能になっている。屏風２４は、各構成部品の背面の色調を形成する。
【００２０】
台座２６の底面から台座２６に載置された屏風２４の上端までの高さＨ０は台座の間口Ｌｆより小さくなるように構成される。そして、台座２６の底面から台座２６に載置された鎧兜本体１２の上端までの高さＨ１は、０．９Ｈ０≦Ｈ１≦Ｈ０を満たすように構成されている。
ここで、「鎧兜本体の上端までの高さＨ１」とは、兜１６の上端に取り付けられる鍬形などの装飾２８を除いた兜１６の上端までの高さを言う。従って、兜１６の上端までは屏風２４の高さ以下の高さで配置される。
【００２１】
上記構成によれば、台座２６の底面から台座２６に載置された屏風２４の上端までの高さＨ０は台座の間口より小さくなるように構成されるため、五月人形セット１０を全体としてコンパクト化できる。また、台座２６の底面から台座２６に載置された鎧兜本体１２の上端までの高さＨ１は、０．９Ｈ０≦Ｈ１≦Ｈ０を満たすように構成され、屏風２４の高さＨ０に対する鎧兜本体１２の高さＨ１の比率は、従来より大きくなっている。従って、五月人形セット１０を正面から鑑賞したとき、屏風２４や台座２６の色彩の比率が大きくならず、各構成部品がもつ色調の比率がバランスする。これによって、各構成部品を全体として統一した色調としたとき、鑑賞者に華やかさや美感を感じさせることができる。
なお、台座２６の奥行き及び屏風２４の両側壁部の寸法は、間口より小さい寸法の範囲で適宜選択される。
【００２２】
一実施形態では、図１に示すように、鎧兜本体１２に用いられる縅糸３０及び道具類に用いられる組紐などの紐類は統一された色調を有するように構成される。
この実施形態によれば、鎧兜本体１２に用いられる縅糸３０及び道具類の各々に用いられる組紐等の紐類は統一された色調を有するため、五月人形セット１０の色調に全体として統一感をもたせることができ、これによって、鑑賞者に華やかさや美感を感じさせることができる。
一実施形態では、道具類として、弓矢２０に用いられる組紐３２及び太刀２２に用いられる組紐３４を、鎧兜本体１２の縅糸３０と同じ色調に統一するように構成することで、五月人形セット１０の色調に全体として統一感をもたせることができる。
【００２３】
一実施形態では、鎧兜本体１２に用いられる縅糸３０及び道具類の各々に用いられる組紐等の紐類の色調は、白、紫、緑（もえぎ）又は青（あさぎ）から選択される。
この実施形態によれば、上記４種の色調は夫々古くから五月人形セットに用いられ、美感を発揮できる代表的な色調として広く認められている色調である。従って、紐類をこれらの色調から選択することで、美感を高めることができる。
【００２４】
一実施形態では、屏風２４の前面は、鎧兜本体１２の縅糸３０及び道具類に用いられる紐類の色調と同一の色調で構成される。
この実施形態によれば、屏風２４の前面が縅糸３０及び紐類の色調と同一の色調で構成されることで、鑑賞者が正面側から見たとき、全体として色調の統一感を出すことができる。なお、鎧、兜、道具類の本体の色調を必ずしも統一しなくても、これら本体に用いられる紐類の色調を統一することで、鎧、兜、道具類の色調を統一できる。
【００２５】
一実施形態では、台座２６の底面から太刀２２の上端までの高さＨ２はＨ２≦０．７５Ｈ０を満たすように構成される。
この実施形態によれば、台座２６の底面から太刀２２の上端までの高さＨ２がＨ２≦０．７５Ｈ０を満たすことで、屏風２４の高さＨ０に対する太刀の高さＨ２は従来より小さくなる。これで弓矢２０の高さと比べて太刀２２の高さＨ２はアンバランスになるが、逆にこれがために太刀２２に用いられる組紐３４を目立たせることができる。そのため、太刀２２に用いられる組紐３４の色調を他の構成部品に用いられる紐類と同じ色調とすることで、五月人形セット全体の色調の統一感を向上できる。
【００２６】
一実施形態では、台座２６の底面から太刀２２の上端までの高さＨ２は０．６０≦Ｈ２を満たすように構成される。Ｈ２＜０．６０の場合、太刀２２の存在感はなくなり、弓矢２０と比べて極めてアンバランスとなるので、０．６０≦Ｈ２を満たすようにするのが望ましい。
【００２７】
一実施形態では、台座２６の底面から弓矢２０の上端までの高さＨ３は、０．９８Ｈ０≦Ｈ３を満たすように構成される。
この実施形態によれば、０．９８Ｈ０≦Ｈ３を満たすように構成することで、弓矢２０の視覚上の存在感を増加でき、逆に、屏風２４及び台座２６の視覚上の存在感を相対的に低下させることができる。これによって、各構成部品の色調を統一したときの各構成部品の色調をバランスさせ、華やかさや美感を出すことができる。
一実施形態では、弓矢２０が台座２６に載置されたとき、弓矢２０の上端は屏風２４の上端より上方に突き出るように構成される。これによって、五月人形セット１０の正面から見たとき、弓矢２０の視覚上の比率が増加するので、屏風２４や台座２６の視覚上の比率に対して道具類の視覚上の比率がバランスするため、各構成部品の色彩を統一した色調としたとき、鑑賞者に華やかさや美感を感じさせることができる。
【００２８】
一実施形態では、０．６０Ｈ０≦Ｈ２とする。Ｈ２＜０．６０Ｈ０とすると、太刀２２の存在感が減少し、弓矢２０と比べてアンバランスとなり、太刀２２に用いられる組みひも４を含めて各構成部品に用いられる紐類の色調を統一したとしても、統一感は減少する。従って、０．６０Ｈ０≦Ｈ２とするのが望ましい。
【００２９】
一実施形態では、台座２６の表面は黒色、例えば、漆黒を有するように構成される。
この実施形態によれば、台座２６の表面は黒色とすることで、視覚面積が大きい台座２６を目立たなくすることができる。これによって、他の構成部品の統一した色調を適度に協調でき、バランスした色調とすることができる。
【００３０】
一実施形態では、台座２６の上面に敷かれるシート状の畳３８を備える。そして、畳３８の上に鎧兜本体１２及び道具類を載置する。
この実施形態によれば、台座２６の表面にシート状の畳３８を敷くことで、台座表面の色調を小麦色の畳３８によって減殺できる。これによって、五月人形セット１０の全体の色調をバランスさせることができ、華やかさ及び美感を増すことができる。また、畳３８はシート状の薄い畳であるので、鎧兜本体１２及び弓矢２０の高さを必要以上に増加させないで済む。
【００３１】
一実施形態では、鎧兜本体１２は佩いたて（武者が佩く具足）１８を含み、佩いたて１８に用いられる紐３６は鎧兜本体１２及び弓矢２０や太刀２２等の道具類に用いられる紐類と統一された色調を有するように構成される。
この実施形態によれば、佩いたて１８に用いられる紐３６は鎧兜本体１２及び弓矢２０や太刀２２等の道具類に用いられる紐類と統一された色調を有するため、さらに、全体として五月人形セット１０に統一感を与えることができる。
【産業上の利用可能性】
【００３２】
幾つかの実施形態によれば、五月人形セットのコンパクト化を可能にすると共に、重厚さよりも華やかさや美しさを発現できる。
【符号の説明】
【００３３】
１０    五月人形セット
１２    鎧兜本体
１４    鎧
１６    兜
１８    佩いたて
２０    弓矢
２２    太刀
２４    屏風
２６    台座
２８    装飾
３０    縅糸
３２、３４    組紐
３６    紐
３８    畳
【図１】
0003219971.tif 000003